(57)【特許請求の範囲】
【請求項１】
複数の放送種別のデジタル放送信号を受信する受信部と、該デジタル放送信号に含まれる番組情報を用いて複数の放送種別の番組情報を含む電子番組表を生成する番組表生成部と、前記受信部で受信したデジタル放送信号及び前記番組表生成部が生成した電子番組表を表示する表示部と、前記受信部で受信したデジタル放送信号を選局するためのダイレクトキーを備えた操作入力部と、を備えたデジタル放送受信装置において、
複数の放送種別のチャンネルごとに予め特定の前記ダイレクトキーを割り当てたデータを記憶する記憶部と、該割り当てたデータに基づいて、前記表示部に表示されている電子番組表のチャンネルの選局を行うダイレクトキーを設定する制御部と有し、
該制御部は、同一のダイレクトキーが割り当てられている複数の放送種別のチャンネルが前記表示部に同時に表示されている場合、予め定めた条件に従って、前記同一のダイレクトキーが割り当てられている前記複数の放送種別のチャンネルのいずれかに対して、該チャンネルの選局を行うダイレクトキーを設定し、
前記番組表生成部は、前記ダイレクトキーを設定したチャンネルに関連付けて、該設定したダイレクトキーの情報を表示する電子番組表を生成することを特徴とするデジタル放送受信装置。
【請求項２】
請求項１に記載のデジタル放送受信装置において、前記制御部は、前記表示部による前記電子番組表の表示状態が変更されることによって、前記ダイレクトキーを設定したチャンネルが表示されなくなり、かつ表示されなくなったチャンネルに設定されたダイレクトキーと同一のダイレクトキーが割り当てられている他の放送種別のチャンネルが表示されている場合、
前記表示されなくなったチャンネルに割り当てたダイレクトキーの設定を、該ダイレクトキーが割り当てられている他の放送種別のチャンネルに変更し、
前記番組表生成部は、前記他の放送種別のチャンネルに関連付けて、前記設定を変更したダイレクトキーの情報を表示する電子番組表を生成することを特徴とするデジタル放送受信装置。
【請求項３】
請求項１または２に記載のデジタル放送受信装置において、前記予め定めた条件として、前記電子番組表を表示させる操作が行われたときに前記表示部で表示しているデジタル放送信号の放送種別を優先することを特徴とするデジタル放送受信装置。
【請求項４】
請求項１または２に記載のデジタル放送受信装置において、前記ダイレクトキーが割り当てられている複数の放送種別の優先順位を予め定めて記憶する優先順位記憶部を有し、
前記予め定めた条件として、前記優先順位記憶部に記憶した放送種別の優先順位を用いることを特徴とするデジタル放送受信装置。
【請求項５】
請求項１または２に記載の放送受信装置において、前記番組表生成部は、前記電子番組表を表示する画面にカーソルを表示させ、
前記予め定めた条件として、前記電子番組表においてカーソルが位置している番組情報の表示枠に対応するチャンネルを優先することを特徴とするデジタル放送受信装置。
【請求項６】
請求項１または２に記載のデジタル放送受信装置において、前記番組表生成部は、前記電子番組表を表示する画面にカーソルを表示させ、
前記予め定めた条件として、前記電子番組表において現在放送されている番組の番組情報の表示枠にカーソルが位置している場合に、該カーソルが位置している番組情報の表示枠に対応するチャンネルを優先することを特徴とするデジタル放送受信装置。
【請求項７】
請求項１ないし６のいずれか１に記載のデジタル放送受信装置において、前記番組表生成部は、同一のダイレクトキーが割り当てられている複数の放送種別のチャンネルが前記電子番組表に同時に表示されている場合、前記予め定めた条件に従って設定したダイレクトキーの情報を表示するとともに、前記ダイレクトキーを設定していない放送種別のチャンネルに割り当てられている未設定のダイレクトキーの情報を表示し、前記設定したダイレクトキーの情報と、前記未設定のダイレクトキーの情報との表示形態を異ならせることを特徴とするデジタル放送受信装置。
【請求項８】
コンピュータに、請求項１〜７のいずれか１に記載のデジタル放送受信装置の機能を実現させるためのプログラム。
【発明の詳細な説明】
【技術分野】
【０００１】
本発明は、デジタル放送受信装置及びプログラムに関し、より詳細には、デジタル放送信号から取得した番組情報を用いて作成した電子番組表を表示するための番組表表示装置、及び該装置の機能を実現するプログラムに関する。
【背景技術】
【０００２】
デジタル放送受信装置では、放送信号から取得した番組情報を基に電子番組表（ＥＰＧ：Electronic Program Guide)を作成している。電子番組表では、各番組の放送時間に対応した番組枠が表示され、各番組枠内に番組名が表示される。またカーソルで選んだ番組について詳細な番組情報を表示させることができる。このような電子番組表を利用して、ユーザは、番組を探したり、録画予約を行ったり、番組情報を確認したりすることができる。
【０００３】
デジタル放送には、放送衛星（ＢＳ）によるデジタル放送、通信衛星（ＣＳ）によるデジタル放送、及び地上波デジタル放送（以下、単に“地上波”として説明する）などの複数の放送種別がある。従来のデジタル放送受信装置の一例では、複数の放送種別ごとに電子番組表を作成し、表示できるようにしていた。
【０００４】
図２０は、従来の電子番組表の表示例を示す図で、図中、２００は電子番組表を表示した電子番組表画面、２０１は地上波、ＢＳ、ＣＳなどの放送種別を表示する放送種別表示部、２０２はチャンネル番号を表示するチャンネル番号表示部、２０３はチャンネルに対して設定されているダイレクトキーを表示するダイレクトキー番号表示部、２０４は番組名などの番組情報を表示する番組枠表示部である。
【０００５】
上記のように従来の電子番組表の表示例においては、ＢＳやＣＳ、地上波デジタル等の複数の放送種別のそれぞれについて電子番組表を作成して表示していた。具体的には、図２０（Ａ）に示すような地上波デジタルの電子番組表と、図２０（Ｂ）に示すようなＢＳの電子番組表とを個別に作成し、ユーザ操作に応じて随時いずれかの電子番組表を表示すようにしている。また図示しないＣＳ用の電子番組表も同様に個別に作成して表示できるようにしている。
【０００６】
例えばデジタル放送受信装置では、付属のリモコンに電子番組表を表示させるための「番組表」ボタン等の専用ボタンを装備し、ユーザがその専用ボタンを押すことにより、電子番組表を画面に表示させることができる。このときに表示する電子番組表の放送種別は、そのときにユーザが視聴している放送種別に対応したものであり、さらに電子番組表の表示後にリモコンの放送切り換えボタンを押して放送種別を切り換えることで、切り換え先の放送種別に対応した電子番組表を表示させることができる。
【０００７】
上記のような従来の放送種別ごとの電子番組表では、異なる放送種別に対応した電子番組表を表示させたい場合に、ユーザは一度リモコン操作を行う必要があり、その操作数が多くなって煩雑となる、という課題があった。
このような課題を解決するために、図２１に示すように、複数の放送種別の電子番組表を１つの電子番組表にまとめて一度に表示させる方式のものがある。図２１の例では、地上波（「地Ｄ」として表示）とＢＳの放送種別に対応する電子番組表を１つの電子番組表としてまとめて表示できるようにしている。またこれにＣＳを加えた３つの放送種別をひとまとめにしたものであってもよい。このような電子番組表では、ユーザは電子番組表を表示させる操作を行うだけで複数の放送種別をまとめた電子番組表を表示させることができ、従来の放送種別ごとの電子番組表の表示操作に比して操作が簡便になる。
【０００８】
上記のような複数の放送種別の放送信号を受信する装置に関し、例えば特許文献１には、多チャンネルのＣＳに対しても１２個以上のワンタッチボタンを登録することができるデジタル放送受信機が開示されている。
このデジタル放送受信機は、複数のダイレクトキーからなるグループを２グループ有し、地上波とＢＳとによる主放送群に切り換えられているときには、地上波とＢＳとをそれぞれ１つのグループのダイレクトキーに割り当てる。ＣＳの有料放送による放送群に切り換えてあるときには、２つのグループの全てのダイレクトキーを有料放送の放送群に属するチャンネルを割り当てるようにし、多くのチャンネルをダイレクト選局できるようにしている。そして２グループのダイレクトキーのそれぞれが、いずれの放送群のどのチャンネルに割り当てられているかを区別できるように表示している。
【特許文献１】特開２００４−３３６６６５号公報
【発明の開示】
【発明が解決しようとする課題】
【０００９】
図２２は、複数の放送種別のチャンネルごとに予め特定のダイレクトキーを割り当てたデータ（割り当てデータとする）の一例を示す図である。
デジタル放送受信装置の付属のリモコンには、ダイレクトにチャンネル選択を行うことができるダイレクトキーが一般に備えられている。ユーザは任意のダイレクトキーを押すことで、そのダイレクトキーに設定されている放送チャンネルを選局することができる。
【００１０】
デジタル放送受信装置では、例えば図２２に示すようなチャンネルに対するダイレクトキーの割り当てデータを保持しておく。この割り当てデータは、複数の放送種別のチャンネルごとに特定のダイレクトキーを割り当てて記憶したもので、デジタル放送受信装置では、この割当てデータを用いて、実際にダイレクトキーを操作したときにそのダイレクトキーに割り当てられたチャンネルを選局する。この場合、従来ではリモコンの放送切り換えボタンにより放送種別を選択することで、ダイレクトキーを押したときにその選択された放送種別に割り当てられたチャンネルが選局される。
【００１１】
この例では、ダイレクトキー“１”は、地上波（地上Ｄ）のチャンネル“０１１“と、ＢＳのチャンネル”１０１“に割り当てられている。他のダイレクトキーにも同様に、１つのダイレクトキーを、地上波とＢＳのチャンネルにそれぞれ割り当てている。また図示しないが放送種別に応じてさらにＣＳなどのチャンネルに割り当てを行っておくことができる。ユーザは、リモコンの放送切り換えボタンを用いて所望の放送種別に切り換えてダイレクトキーの操作を行うと、その放送種別に応じたチャンネルが選局されるようになっている。
【００１２】
この場合に、図２１に示すような複数の放送種別を１つにまとめた電子番組表を作成すると、電子番組表のダイレクトキー表示が重複してユーザが混乱する、という問題が生じる。通常、電子番組表では、放送信号のチャンネル番号とともに、そのチャンネル番号に割り当てられたダイレクトキーの番号が表示される。
ここで図２１に示すように、１つのダイレクトキーには、複数の放送種別の放送チャンネル番号が割り当てられているため、これら複数の放送種別を１つにまとめた電子番組表を作成したときに、ダイレクトキーの表示の重複が発生してしまう。図２１の例では、地上波のチャンネル“０１１”と、ＢＳのチャンネル“１０１”に対してダイレクトキー“１”が割り当てられているため、ユーザは、ダイレクトキー“１”を操作したときにいずれの放送種別のチャンネルが選局されるかがわからず、混乱が生じる。
【００１３】
このような問題に対して、表示されるチャンネルの数だけダイレクトキーを用意すれば表示が重複するような混乱が生じることなく選局が可能となるが、ダイレクトキーの数を増やさなければならず、リモコンが大型化して操作しにくくなる。またこれにより製造コストや材料コスト等が増大してしまう。
【００１４】
また上記特許文献１では、２グループのワンタッチボタン（ダイレクトキーに相当）の表示が重複しないように、フォントを変えたり、色を変えたり、漢数字やアラビア文字などを使用してワンタッチボタンを表示している。
しかしながら、この場合は、重複する番号のワンタッチボタンを区別可能としているだけである。複数の放送種別のチャンネルを同時に表示する構成で、１つのワンタッチボタンに割り当てられている複数の放送種別のチャンネルのうち、いずれの放送種別のチャンネルが現在そのワンタッチキーに割り当てられているのかを知ることはできない。
【００１５】
本発明は、上述のごとき実情に鑑みてなされたものであり、複数の放送種別のチャンネルの番組情報を含む電子番組表を表示する際に、ダイレクトキーが現在どの放送種別のどのチャンネルに設定されているかを明示できるようにしたデジタル放送受信装置と、該装置の機能を実現するプログラムとを提供することを目的とする。
【課題を解決するための手段】
【００１６】
上記課題を解決するために、本発明の第１の技術手段は、複数の放送種別のデジタル放送信号を受信する受信部と、デジタル放送信号に含まれる番組情報を用いて複数の放送種別の番組情報を含む電子番組表を生成する番組表生成部と、受信部で受信したデジタル放送信号及び番組表生成部が生成した電子番組表を表示する表示部と、受信部で受信したデジタル放送信号を選局するためのダイレクトキーを備えた操作入力部と、を備えたデジタル放送受信装置において、複数の放送種別のチャンネルごとに予め特定のダイレクトキーを割り当てたデータを記憶する記憶部と、割り当てたデータに基づいて、表示部に表示されている電子番組表のチャンネルの選局を行うダイレクトキーを設定する制御部と有し、制御部は、同一のダイレクトキーが割り当てられている複数の放送種別のチャンネルが表示部に同時に表示されている場合、予め定めた条件に従って、同一のダイレクトキーが割り当てられている複数の放送種別のチャンネルのいずれかに対して、チャンネルの選局を行うダイレクトキーを設定し、番組表生成部は、ダイレクトキーを設定したチャンネルに関連付けて、設定したダイレクトキーの情報を表示する電子番組表を生成することを特徴としたものである。
【００１７】
第２の技術手段は、第１の技術手段において、制御部が、表示部による電子番組表の表示状態が変更されることによって、ダイレクトキーを設定したチャンネルが表示されなくなり、かつ表示されなくなったチャンネルに設定されたダイレクトキーと同一のダイレクトキーが割り当てられている他の放送種別のチャンネルが表示されている場合、表示されなくなったチャンネルに割り当てたダイレクトキーの設定を、ダイレクトキーが割り当てられている他の放送種別のチャンネルに変更し、番組表生成部は、他の放送種別のチャンネルに関連付けて、設定を変更したダイレクトキーの情報を表示する電子番組表を生成することを特徴としたものである。
【００１８】
第３の技術手段は、第１または第２の技術手段において、予め定めた条件として、電子番組表を表示させる操作が行われたときに表示部で表示しているデジタル放送信号の放送種別を優先することを特徴としたものである。
【００１９】
第４の技術手段は、第１または第２の技術手段において、ダイレクトキーが割り当てられている複数の放送種別の優先順位を予め定めて記憶する優先順位記憶部を有し、予め定めた条件として、優先順位記憶部に記憶した放送種別の優先順位を用いることを特徴としたものである。
【００２０】
第５の技術手段は、第１または第２の技術手段において、番組表生成部が、電子番組表を表示する画面にカーソルを表示させ、予め定めた条件として、電子番組表においてカーソルが位置している番組情報の表示枠に対応するチャンネルを優先することを特徴としたものである。
【００２１】
第６の技術手段は、第１または第２の技術手段において、番組表生成部が、電子番組表を表示する画面にカーソルを表示させ、予め定めた条件として、電子番組表において現在放送されている番組の番組情報の表示枠にカーソルが位置している場合に、カーソルが位置している番組情報の表示枠に対応するチャンネルを優先することを特徴としたものである。
【００２２】
第７の技術手段は、第１ないし第６のいずれかの技術手段において、番組表生成部が、同一のダイレクトキーが割り当てられている複数の放送種別のチャンネルが電子番組表に同時に表示されている場合、設定したダイレクトキーの情報を表示するとともに、ダイレクトキーを設定していない放送種別のチャンネルに割り当てられている未設定のダイレクトキーの情報を表示し、設定したダイレクトキーの情報と、未設定のダイレクトキーの情報との表示形態を異ならせることを特徴としたものである。
【００２３】
第８の技術手段は、コンピュータに、第１ないし第７のいずれかの技術手段の機能を実現させるためのプログラムである。
【発明の効果】
【００２４】
本発明によれば、複数の放送種別のチャンネルの番組情報を含む電子番組表を表示する際に、ダイレクトキーが現在どの放送種別のどのチャンネルに設定されているかを明示できるようになる。
つまり本発明によれば、複数の放送種別のチャンネルをまとめた電子番組表を表示するとき、ダイレクトキーに実際に設定されているチャンネルと、電子番組表においてそのダイレクトキーが表示されたチャンネルとを一致させることができ、ユーザはダイレクトキーが現在どの放送種別のどのチャンネルに設定されているのかを確実かつ容易に認識することができるようになる。
【発明を実施するための最良の形態】
【００２５】
図１は、本発明による番組表表示装置を備えたデジタル放送受信装置の一実施形態を示すブロック図である。
フロントエンド１には、アンテナよって受信された放送衛星（ＢＳ）や通信衛星（ＣＳ）から送信されるデジタル放送信号、及び地上波のデジタル放送信号が入力される。
フロントエンド１は、チューナ部、復調回路部、誤り訂正部等を有している。ここでは１つのチューナ部によってＢＳ／ＣＳ放送信号と地上波放送信号との選局が可能になっている。チューナ部は、ユーザの選局指示に従って、所定のデジタル放送ネットワークの放送チャンネルに関するデジタル放送信号を選局受信し、復調回路部に供給する。復調回路部は、チューナ部で選局受信したデジタル放送信号をデジタル復調する。誤り訂正部は、デジタル復調されたデジタル放送信号の誤りに関する修復や訂正を施し、トランスポートストリームデータとして再生する。アンテナ及びフロントエンド１は本発明の受信部に該当する。
【００２６】
デマルチプレクサ２は、デジタル放送信号のトランスポートストリームデータから、放送映像信号，放送音声信号と、データ信号とを分離する。
そして、デマルチプレクサ２で分離された放送映像信号及び放送音声信号は、映像・音声デコード部３に供給される。また、デマルチプレクサ２で分離されたデータ信号は、制御部１０に供給され、メモリ部１１のＲＯＭ等に保持されたシステムソフトウェアに基づいて処理される。
【００２７】
映像・音声デコード部３は、デマルチプレクサ２で分離された放送映像信号及び放送音声信号それぞれのデータをデコードし、映像信号を画面合成部７に出力し、音声信号を音声出力部４に出力する。音声出力部４は、デコードされた放送音声信号をスピーカから出力させる。
【００２８】
番組情報デコード部５は、受信したデジタル放送信号のトランスポートストリームデータにデータ信号として含まれている番組情報（ＳＩ：Service Information）を取得してデコードする。デコードされた番組情報は、メモリ部１１に一旦蓄えられる。番組表データ生成部６は、デコードされた番組情報を使用して電子番組表（ＥＰＧ：Electronic Program Guide)を生成し、画面合成部７に出力する。画面合成部７では、映像・音声デコード部３から出力された放送映像信号と、番組表データ生成部６から出力された電子番組表とを合成し、表示部８に出力する。表示部８は、液晶パネルなどの表示画面により画面合成部７から出力された映像信号を表示する。番組表データ生成部６は本発明の番組表生成部に該当する。
【００２９】
制御部１０は、フロントエンド１，デマルチプレクサ２，映像・音声デコード部３，番組情報デコード部５，番組表データ生成部６，及び画面合成部７のそれぞれと、メモリ部１１に接続され、これら各要素を制御する。
メモリ部１１は、ＲＯＭ，ＲＡＭ，不揮発性補助記憶装置などから構成される。メモリ部１１には、デコードされた番組情報などの他、複数の放送種別に対してダイレクトキーを割り当てた割り当てデータや、ダイレクトキーが割り当てられている放送種別の優先順位を定めたデータなどを記憶させておく。
【００３０】
またリモコン受光部９は、ユーザのリモコン操作によって図示しないリモコンから送信されたコントロール信号を受光して制御部１０に渡す。制御部１０は、リモコンからのコントロール信号に基づき、メモリ部１１に記憶されたシステムソフトウェアによってその処理を管理・制御し、デジタル放送受信装置の各部の制御を行う。
【００３１】
図２は本発明のデジタル放送受信装置に付属するリモコンの入力部の構成例を示す図である。リモコン２０は、本発明の操作入力部に該当する。
このリモコン２０には、デジタル放送受信装置の電源をｏｎ／ｏｆｆするための電源ボタン２１、チャンネルをダイレクトに選局するためのダイレクトキー２２、音量を調節するための音量ボタン２３、放送種別を切り換えるための放送切換ボタン２４、電子番組表を表示させるための番組表ボタン２５、カーソルを移動させるカーソルボタン２６等が設けられている。
【００３２】
放送切換ボタン２４には、地上波に切り換えるための地上波ボタン２４ａ、ＢＳに切り換えるためのＢＳボタン２４ｂ、ＣＳに切り換えるためのＣＳボタン２４ｃ、デジタル放送のテレビ番組に連動したデータ放送表示の切換を行うためのデータ連動ボタン２４ｄ、データ放送に切り換えるためのデータボタン２４ｅ、ラジオに切り換えるためのラジオボタン２４ｆ、テレビに切り換えるためのテレビボタン２４ｇが設定されている。
またカーソルボタン２６には、カーソルをそれぞれ上下左右に移動させるためのカーソル上ボタン２６ａ、カーソル下ボタン２６ｂ、カーソル右ボタン２６ｃ、カーソル左ボタン２６ｓが設けられ、さらに選んだメニュー項目や設定内容を決定するための決定ボタン２６ｅが設けられている。
【００３３】
ダイレクトキー２２は、複数の数字キーからなっていて、任意の数字キーを押すことによりその数字に対応して設定されているチャンネルをダイレクトに選局することができる。またダイレクトキー２２は、所定の設定メニューにおいて数字入力を行うために用いることができる。
【００３４】
以下に上記のデジタル放送受信装置を使用した電子番組表の設定と表示に関する実施形態を説明する。
（実施形態１）
図３は、本発明によるデジタル放送受信装置により表示される電子番組表の表示画面の一例を示す図で、図中、１００はデジタル放送受信装置の表示部に表示された電子番組表画面、１０１は放送種別表示部、１０２はチャンネル番号表示部、１０３はダイレクトキー番号表示部、１０４は番組枠表示部、１０５はカーソルである。
電子番組表１００に表示される電子番組表は、複数の放送種別を１つにまとめたものであり、本例では地上波とＢＳのチャンネルの両方の放送種別の番組情報を含んでいる。複数の放送種別はこれらに限ることなく、例えばさらにＣＳのチャネルを加えたものであってもよい。
【００３５】
放送種別とは、デジタル方式の無線局により行われる放送として定義されるデジタル放送の種別を表すもので、上記の地上波、ＢＳ、ＣＳなどの種別を含んでいる。さらに地上波、ＢＳ、ＣＳなどのデジタル放送には、テレビ放送、ラジオ放送、（独立）データ放送があり、これらのそれぞれを放送種別として規定することもできる。またデジタル放送は、広義にはデジタル方式により行われる放送全般を指し、さらにはＩＰを利用したインターネットテレビ、インターネットラジオ、ＩＰ放送等まで含まれ得る。本発明の放送種別は、これら広義のデジタル放送の種別に対しても適用可能である。
【００３６】
電子番組表画面１００にはカーソル１０５が表示され、ユーザは、リモコンに備えられた上下左右のカーソルボタンを操作してカーソル１０５を所望の位置に移動させることにより、所望のチャンネルの番組を選択することができる。電子番組表画面１００では、複数の放送種別（地上波，ＢＳ）の番組情報を表示しているため、地上波を視聴しているときに、従来では放送切換などを行わないと見ることができないＢＳの番組情報もカーソルボタンを操作するだけで簡単に見ることができる。
【００３７】
例えば、視聴者が地上波を視聴しているときに、リモコンを操作して電子番組表を表示させたものとする。この場合、図３に示すように、地上波（「地Ｄ」）のチャンネルを優先した電子番組表画面１００が表示される。地上波のチャンネルの次（下方）には、ＢＳのチャンネルが続いて表示される。ここで１画面に表示しきれないチャンネルがあれば、ユーザによるスクロール操作やページ切換操作によって表示させることができる。
【００３８】
そして本発明に係る実施形態では、複数の放送種別を１つにまとめた電子番組表において、ダイレクトキー表示が重複しないように、いずれか１つの放送種別のチャンネルに関連付けてダイレクトキー表示を行う。つまり表示部に表示された電子番組表画面１００において、予め定めた割り当てデータにより同一のダイレクトキーが割り当てられている複数の放送種別のチャンネルが同時に表示されているときには、いずれか１つのチャンネルに対してのみダイレクトキーの表示を行う。
【００３９】
ここでデジタル放送受信装置では、図２２に示すようなダイレクトキーに対するチャンネル番号の割り当てデータを保持しているものとする。この割り当てデータは、複数の放送種別のチャンネルごとに特定のダイレクトキーを割り当てて記憶したものである。デジタル放送受信装置では、この割当てデータを用いて、複数の放送種別のチャンネルのいずれかに対してそのチャンネルの選局を行うダイレクトキーを設定する。チャンネルに対するダイレクトキーの設定とは、特定の放送種別のチャンネルに対して、そのチャンネルの選局を行うダイレクトキーを装置内部で設定する処理をいう。設定されるダイレクトキーは、図２２のような割り当てデータによって各放送種別のチャンネルに割り当てられているダイレクトキーから選択される。
【００４０】
この場合、本実施形態では、現在視聴中の放送種別、すなわち電子番組表を表示させる動作が行われたときに表示部で表示している放送種別を優先し、その優先した放送種別のチャンネルに対してダイレクトキーを設定する。
【００４１】
図３の例では、地上波を優先し、地上波のチャンネルに対してダイレクトキーが設定される。そして電子番組表画面１００のダイレクトキー番号表示部１０３には、ダイレクトキーを設定したチャンネルに対してダイレクトキー番号が表示される。そして地上波のチャンネルに設定されているダイレクトキーが割り当てられているＢＳのチャンネルが表示されている場合、電子番組表画面１００では、そのＢＳのチャンネルに対するダイレクトキーの設定と表示は行わない。
【００４２】
この例では、図２２の割り当てデータにおいて、ダイレクトキー“１”は、地上波（「地Ｄ」）のチャンネル“０１１”と、ＢＳのチャンネル“１０１”に割り当てられている。そして図２に示す電子番組表画面１００では、これら地上波のチャンネル“００１”と、ＢＳのチャンネル“１０１”とが同時に表示されている。従って現在視聴していた地上波を優先し、地上波のチャンネル“０１１”に対してダイレクトキー“１”を設定し、電子番組表画面１００でも地上波のチャンネル“０１１”にダイレクトキーの“１”を表示する。そして電子番組表画面１００のＢＳのチャンネル“１０１”には、ダイレクトキーの表示を行わない。
【００４３】
図４は、本発明によるデジタル放送受信装置により表示される電子番組表の表示画面の他の例を示す図である。ダイレクトキーを設定する放送種別の優先順位は、上記のように現在視聴中の放送種別のみならず、適宜予め定めておくようにしてもよい。放送種別の優先順位は予め放送受信装置のメモリ部に記憶させておくことができる。
【００４４】
図４は、予めＢＳを優先するように定めてダイレクトキーを設定した例を示している。この場合、電子番組表画面１００において割り当てが重複しているダイレクトキー“１”は、ＢＳのチャンネル“１０１”に設定され、電子番組表画面１００のＢＳのチャンネル“１０１”に対してダイレクトキー“１”が表示される。他のダイレクトキー“２”〜“６”は、電子番組表画面１００に表示されているチャンネルに対して割り当てが重複していないため、表示されている地上波の各チャンネルに設定される。これにより、ユーザは、放送切換ボタンを使用することなく、ダイレクトキーの設定に応じた放送種別のチャンネルをダイレクトキーで選局して表示させることができる。
【００４５】
図５は、電子番組表の表示画面をスクロールさせたときの表示画面の一例を示す図である。図３に示す状態の電子番組表画面１００において、ユーザがリモコンのスクロールボタンを操作することにより、電子番組表をスクロールさせることができる。図５は、図３の状態でスクロール下ボタンが操作され、カーソル１０５が番組表表示部１０４の最下段に移動し、さらにスクロール下ボタンの操作により電子番組表が下方向にスクロールした例を示している。
【００４６】
この状態では、電子番組表画面１００では、地上波のチャンネル“０１１”がスクロールにより消えている。従って地上波のチャンネル“０１１”に対するダイレクトキー“１”の設定を解除し、ＢＳのチャンネル“１０１”に対してダイレクトキー“１”の設定を変更する。そして電子番組表画面１００において、ＢＳのチャンネル“１０１”に対応するダイレクトキー番号表示部１０３にダイレクトキー“１”を表示させる。ＢＳのチャンネル“１０１”には、図２２のデータによってダイレクトキー“１”が割り当てられている他のチャンネルである。
【００４７】
図６は、電子番組表の表示画面を更にスクロールさせたときの表示画面の一例を示す図である。 図５に示す状態の電子番組表画面１００を更に下方向にスクロールさせていくと、ＢＳのチャンネルに続いて再度地上波のチャンネルが表示される。このとき、図５でダイレクトキー“１”を設定したＢＳのチャンネル“１０１”が電子番組表画面１００に表示されている間は、優先順位の高い地上波のチャンネル“０１１”が同時に表示されていたとしてもダイレクトキー“１”の設定及び表示の変更は行わない。
【００４８】
図６に示すように、電子番組表のスクロールによってＢＳのチャンネル“１０１”が電子番組表画面１００から消えたときに、地上波のチャンネル“０１１”に対してダイレクトキー“１”の設定を変更し、電子番組表画面１００の地上波のチャンネル“０１１”にダイレクトキー“１”を表示する。
【００４９】
このように電子番組表画面１００の表示画面に表示されている複数のチャンネルに対して１つのダイレクトキーが割り当てられている場合には、予め定めた放送種別の優先順位に従って１つの放送種別のチャンネルにダイレクトキーを設定し、かつ電子番組表画面１００において、そのチャンネルに関連付けて、設定したダイレクトキーの情報を表示する。
そして電子番組表画面１００のスクロール操作やページ変更操作によって電子番組表の表示状態が変更され、ダイレクトキーを設定していたチャンネルが表示されなくなり、かつ表示されなくなったチャンネルと同一のダイレクトキーが割り当てられている他の放送種別のチャンネルが表示されていれば、その表示されなくなったチャンネルに割り当てたダイレクトキーの設定を、そのダイレクトキーが割り当てられている他の放送種別のチャンネルに変更する。そして電子番組表画面のダイレクトキーの表示も新たに設定したチャンネルに変更する。
【００５０】
これにより複数の放送種別のチャンネルをまとめた電子番組表を表示するとき、ダイレクトキーに実際に設定されているチャンネルと、電子番組表画面１００においてそのダイレクトキーが表示されたチャンネルとを一致させることができ、ユーザは、ダイレクトキーが現在どの放送種別のどのチャンネルに設定されているのかを確実かつ容易に認識することができるようになる。
【００５１】
（実施形態２）
図７は、本発明によるデジタル放送受信装置により表示される電子番組表の表示画面の他の例を示す図で、図８は図７においてカーソルを移動させたときの表示画面例を示す図である。上述した図３〜図６に係る実施例は、予め定めた放送種別の優先順位に従ってダイレクトキーの設定と表示を行っていたが、本実施形態では、電子番組表画面１００において同一のダイレクトキーが割り当てられている複数の放送種別のチャンネルが同時に表示される場合、カーソル１０５が位置する番組枠（番組情報の表示枠）に対応するチャンネルを優先してダイレクトキーを設定し、電子番組表画面１００に表示させる処理を行う。
【００５２】
例えば図７の電子番組表画面１００では、地上波のチャンネル“０１１”の番組枠にカーソル１０５が位置している。この場合には、カーソル１０５に対応した地上波のチャンネル“０１１”を優先し、図２２の割り当てデータに従って地上波のチャンネル“０１１”に割り当てられているダイレクトキー“１”を設定する。そして電子番組表画面１００の地上波のチャンネル“０１１”にダイレクトキー“１”を表示する。
【００５３】
図８は、図７の電子表番組画面においてカーソルを移動させたときの表示の一例を示す図である。例えば図７に示す状態の電子番組表画面１００において、ユーザがカーソルボタンを操作してカーソル１０５を移動させ、図８に示すような状態になったものとする。
この場合、現在カーソル１０５が位置する番組枠に対応したＢＳのチャンネル“１０１”を優先して、そのチャンネル“１０１”に割り当てられているダイレクトキー“１”に設定を変更し、また電子番組表画面１００のＢＳチャンネル“１０１”にダイレクトキー“１”の表示を変更する。
【００５４】
図９は、図８の電子番組表画面においてさらにカーソルを移動させたときの表示の一例を示す図である。図８に示す状態の電子番組表画面１００においてカーソル１０５を移動させた場合、ＢＳのチャンネル“１０１”に対するダイレクトキー“１”の設定及び表示は、ダイレクトキー“１”が割り当てられている他の放送種別のチャンネルに対応する位置にカーソルが移動しない限り、そのままの状態で維持される。
図９では、図８の表示状態でカーソル１０５のみが移動し、地上波のチャンネル“０５１”の番組枠に移動している。この状態では、ＢＳのチャンネル“１０１”に対するダイレクトキー“１”の設定及び表示は変更されることなく維持される。そしてこの後、さらにカーソル１０５が移動して、地上波のチャンネル“０１１”の番組枠にカーソル１０５が位置した場合には、ＢＳのチャンネル“１０１”に設定されているダイレクトキー“１”の設定を変更し、再度、地上波のチャンネル“０１１”にダイレクトキー“１”を設定する。また電子番組表画面１００のＢＳのチャンネル“１０１”のダイレクトキー表示を消し、地上波のチャンネル“０１１”にダイレクトキー“１”を表示する。
【００５５】
このように、本実施形態では、電子番組表画面においてカーソルが位置する番組枠に対応するチャンネルを優先してダイレクトキーを設定するともに、カーソルが位置する番組枠に対応したチャンネルに、ダイレクトキー番号を表示させるようにする。
【００５６】
（実施形態３）
図１０は、本発明によるデジタル放送受信装置により表示される電子番組表の表示画面の更に他の例を示す図で、図１１は図１０の表示画面でカーソルを移動させたときの表示画面例を示す図、図１２は図１０の表示画面でさらにカーソルを移動させたときの表示画面例を示す図である。
本例は、上記図７〜図９の例と同様に、電子番組表画面１００において、カーソル１０５が位置する番組枠のチャンネルを優先してダイレクトキーを設定し、電子番組表画面１００に表示させる処理を行うが、このときに現在放送されている番組の番組枠（番組情報の表示枠）にカーソル１０５が位置している場合に、そのチャンネルに対するダイレクトキーの設定と表示を行い、現在放送されていない番組の番組枠に位置しているときには、そのチャンネルに対するダイレクトキーの設定と表示を行わないようにするものである。
【００５７】
例えば図１０の電子番組表画面１００では、地上波のチャンネル“０１１”の番組枠の１つにカーソル１０５が位置している。この場合には、カーソル１０５に対応した地上波のチャンネル“０１１”を優先し、図２２の割り当てデータに従って地上波のチャンネル“０１１”に割り当てられているダイレクトキー“１”を設定する。そして電子番組表画面１００の地上波のチャンネル“０１１”にダイレクトキー“１”を表示する。
【００５８】
次に図１０に示す状態の電子番組表画面１００において、ユーザがカーソルボタンを操作してカーソル１０５を移動させ、図１１に示すような状態になったものとする。
ここでは電子番組表画面１００に表示されている電子番組表は、現在時刻を含む時間帯が起点となっているものとする。図９の例では、番組枠表示部１０４の時間軸方向の起点は、番組枠表示部１０４の左端にある。図１１の場合、現在カーソル１０５が位置する番組枠の番組は、放送予定の時刻になったときに放送される番組であって、現在は放送されていない番組である。
【００５９】
図２２の割り当てデータを参照すれば、ＢＳのチャンネル“１０１”にはダイレクトキー“１”が割り当てられているが、図１１の場合、現在放送されていない番組の番組枠にカーソル１０５が位置しているため、ダイレクトキーの設定及び表示の変更を行うことなく維持する。
【００６０】
そしてさらにカーソル１０５が移動され、図１２に示すような状態になったものとする。図１２の電子番組表画面１００では、現在放送されている番組の番組枠にカーソル１０５が位置しているため、ＢＳのチャンネル“１０１”を優先して、そのチャンネル“１０１”に割り当てられているダイレクトキー“１”に設定を変更し、電子番組表画面１００のＢＳチャンネル“１０１”にダイレクトキー“１”の表示を変更する。
【００６１】
このように、本実施形態では、電子番組表画面で現在放送を行っている番組の番組枠にカーソルが位置しているときには、カーソルが位置する番組枠に対応するチャンネルを優先してダイレクトキーを設定し、かつカーソルの位置に対応したチャンネルにダイレクトキーを表示させるようにする。また電子番組表で現在放送行っていない番組の番組枠にカーソルが位置しているときには、ダイレクトキーの設定及び表示の変更は行わないようにする。
【００６２】
（実施形態４）
図１３は、本発明によるデジタル放送受信装置により表示される電子番組表の表示画面の更に他の例を示す図である。
本実施形態では、ダイレクトキーが割り当てられている複数の放送種別のチャンネルのうち、実際にダイレクトキーが設定されているチャンネルと、設定されていないチャンネルとを区別できるように、電子番組表画面１００におけるダイレクトキーの表示を異ならせるものである。
【００６３】
例えば図１３の電子番組表画面１００では、地上波のチャンネル“０１１”にダイレクトキー“１”が設定されている。ダイレクトキーは、上述したように予め定めた放送種別の優先順に従って設定してもよく、またカーソル１０５が位置する番組枠に対応する放送種別のチャンネルに対して設定してもよく、さらにこのときに、現在放送していない番組枠にカーソル１０５があるときにはダイレクトキーを設定しないようにしてもよい。
【００６４】
図１３の電子番組表画面１００では、図２２の割り当てデータによりダイレクトキー“１”に割り当てられている他の放送種別のチャンネル、つまりＢＳのチャンネル“１０１”が表示されている。この場合、本実施形態では、ダイレクトキーが設定されていないＢＳのチャンネル“１０１”に対してもダイレクトキー“１”の表示を行い、このときに実際にダイレクトキー“１”が設定されていないことを示すために、地上波のダイレクトキー表示とは表示形態を異ならせる。
【００６５】
例えばダイレクトキー表示の色やフォント、大きさ、形状など表示形態を異ならせることにより、ダイレクトキーの設定の可否を区別できるようにする。図１３の例では、実際にダイレクトキーが設定されているチャンネルには、マル付き数字でダイレクトキーを表示しているが、ダイレクトキーが割り当てられているのみで実際に設定されていないチャンネルでは、黒丸に白抜き数字でダイレクトキーを表示している。
【００６６】
つまり本実施形態では、同一のダイレクトキーが割り当てられている複数の放送種別のチャンネルが電子番組表画面１００に同時に表示されている場合、ダイレクトキーを設定したチャンネルに対して、設定したダイレクトキーの情報を表示するとともに、ダイレクトキーを設定していない放送種別のチャンネルには、そのチャンネルに割り当てられている未設定のダイレクトキーの情報を表示する。そして上記の設定したダイレクトキーの情報と、未設定のダイレクトキーの情報との表示形態を異ならせるようにする。
これにより現在設定されているダイレクトキーがどの放送種別のどのチャンネルであるかを区別可能とすることができ、また現在設定されていないチャンネルであっても、どのダイレクトキーが割り当てられているのかを表示画面上で識別可能とすることができる。
【００６７】
（実施形態５）
図１４は、複数の放送種別に対してダイレクトキーを割り当てた割り当てデータの他の例を説明するための図である。
上述したように、地上波、ＢＳ、ＣＳなどのデジタル放送には、テレビ放送、ラジオ放送、（独立）データ放送があり、これらも放送種別として規定することができる。図１４の割り当てデータは、ＢＳのテレビチャンネル番号と、ＢＳのラジオチャンネル番号と、ＢＳのデータチャンネル番号とにそれぞれダイレクトキーを割り当てている。
【００６８】
図１５は、本発明によるデジタル放送受信装置により表示される電子番組表の表示画面の更に他の例を示す図である。電子番組表画面１００に表示される電子番組表は、複数の放送種別を１つにまとめたものであり、本例ではＢＳのテレビ、ＢＳのラジオ、及びＢＳのデータ放送の放送種別の番組情報を含んでいる。
【００６９】
そして上記の各実施形態と同様に、複数の放送種別を１つにまとめた電子番組表において、ダイレクトキーの表示が重複しないように、いずれか１つの放送種別のチャンネルに関連付けてダイレクトキー表示を行う。つまり電子番組表画面１００において、同一のダイレクトキーが割り当てられている複数のチャンネルが表示されているときには、いずれか１つのチャンネルに対してのみダイレクトキーを設定し、その表示を行う。
【００７０】
例えばＢＳのチャンネル“１０１”にダイレクトキー“１”が設定され、電子番組表画面１００のＢＳのチャネル“１０１”に関連付けてダイレクトキー“１”が表示されている。ここでは図１４の割り当てデータにより、ダイレクトキー“１”が割り当てられている他のチャンネル、つまりＢＳラジオのチャンネル“３３３”と、ＢＳデータ放送のチャンネル“６３３”にはダイレクトキーを設定せず、また電子番組表画面１００に対する表示も行わない。
【００７１】
ダイレクトキーは、上述したように予め定めた放送種別の優先順に従って設定してもよく、またカーソル１０５が位置する番組枠に対応する放送種別のチャンネルに対して設定してもよく、さらにこのときに、現在放送していない番組枠にカーソル１０５があるときにはダイレクトキーを設定しないようにしてもよい。
また上記図１３に示すように、チャンネルに設定したダイレクトキーの情報と、未設定のダイレクトキーの情報の表示形態を異ならせるように表示してもよい。
【００７２】
本実施形態では、放送種別の異なる例を示すものであり、本実施形態の放送種別に対して上記各実施形態１〜４による設定及び表示処理を適宜適用することができる。
【００７３】
図１６は、本発明のデジタル放送受信装置におけるダイレクトキーの設定・表示処理の一例を説明するためのフローチャートである。以下図１の構成を参照しながら説明する。
ユーザがリモコンの「番組表」ボタンを押すと（ステップＳ１）、デジタル放送受信装置では、表示しようとしている電子番組表内にダイレクトキーが重複しているチャンネルがあるかどうかを判別する（ステップＳ２）。つまり「番組表」ボタンの操作によってデジタル放送受信装置の番組表データ生成部６では、複数放送種別をまとめた電子番組表を生成するが、このときに表示部８に表示させる電子番組表において、予め割り当てデータで割り当てておいたダイレクトキーが重複しているチャンネルがあるかどうかを判別する。判別処理は、番組表データ生成部６が生成した電子番組表に基づき制御部１０によって行われる。
【００７４】
そしてダイレクトキーが重複しているチャンネルがあれば、視聴中の放送種別を優先し、優先している放送種別のチャンネルにダイレクトキーの設定を行う（ステップＳ３）。ダイレクトキーの設定は、上述したようにダイレクトキーが押されたときに実際に選局処理を行うチャンネルを設定する処理を言う。そして表示部８に表示させる電子番組表のチャンネルに対して、ダイレクトキーが設定されていることを表示する（ステップＳ４）。一方ステップＳ２で、ダイレクトキーが重複しているチャンネルがなければ、該当チャンネルに対してダイレクトキーを表示する。
【００７５】
図１７は、本発明のデジタル放送受信装置におけるダイレクトキーの設定・表示処理の他の例を説明するためのフローチャートである。
ユーザがリモコンのカーソル下ボタンを押すと（ステップＳ１１）、デジタル放送受信装置では、スクロールによって電子番組表表示内から消えたチャンネルのダイレクトキー番号と同一番号のチャンネルが表示しているかどうかを判別する（ステップＳ１２）。つまりカーソル下ボタンの操作によって、番組表データ生成部６では表示部８に表示させる電子番組表をスクロールさせるが、このときに表示部８に表示させる電子番組表において、表示から消えたチャンネルに設定されていたダイレクトキーと同じ番号のダイレクトキーが割り当てられているチャンネルが表示されているかどうかを判別する。判別処理は、番組表データ生成部６が生成した電子番組表に基づき制御部１０によって行われる。
【００７６】
そしてスクロールによって電子番組表表示内から消えたチャンネルのダイレクトキー番号と同一番号のチャンネルが表示されていれば、ダイレクトキーの設定変更を行う（ステップＳ１３）。つまり、表示から消えたチャンネルのダイレクトキーの設定を、表示部８に表示されている新たなチャンネルに変更する。
そして表示部８に表示させる電子番組表のダイレクトキーの表示も変更する。つまり電子番組表のチャンネルに対して、設定が変更されたダイレクトキーを表示する（ステップＳ１４）。一方ステップＳ１２で、スクロールによって電子番組表表示内から消えたチャンネルのダイレクトキー番号と同一番号のチャンネルが表示されていなければ、そのままの状態を維持して処理を終了する。
【００７７】
図１８は、本発明のデジタル放送受信装置におけるダイレクトキーの設定・表示処理の更に他の例を説明するためのフローチャートである。
まず電子番組表の表示画面において、カーソルが位置するチャンネルに現在ダイレクトキーが設定されているかどうかを判別する（ステップＳ２１）。ここでは、カーソルが位置している番組枠に対応するチャンネルに対して現在ダイレクトキーが設定されているかどうかを判別することになる。判別処理は、番組表データ生成部６が生成した電子番組表に基づき制御部１０によって行われる。
【００７８】
カーソルが位置するチャンネルにダイレクトキーが設定されていない場合、さらにそのカーソルが位置するチャンネルが、放送種別ごとにダイレクトキーが割り当てられたチャンネルかどうかを判別する（ステップＳ２２）。ここでは制御部１０は、メモリ部１１に記憶した割り当てデータに従って、カーソルが位置するチャンネルに対するダイレクトキーの割り当てがあるかどうかを判別する。
【００７９】
ここでカーソルが位置するチャンネルに対するダイレクトキーの割り当てがあれば、ダイレクトキーの設定変更を行う（ステップＳ２３）。つまり、カーソルが位置するチャンネルに対してダイレクトキーの設定を変更する。
そして表示部８に表示させる電子番組表のダイレクトキーの表示も変更する。つまり電子番組表のチャンネルに対して、設定が変更されたダイレクトキーを表示する（ステップＳ２４）。一方ステップＳ２１で、カーソルが位置するチャンネルに現在ダイレクトキーが設定されていない場合、及びステップＳ２２でカーソルが位置するチャンネルにダイレクトキーが割り当てられていない場合、そのままの状態を維持して処理を終了する。
【００８０】
図１９は、本発明のデジタル放送受信装置におけるダイレクトキーの設定・表示処理の更に他の例を説明するためのフローチャートである。
まず電子番組表の表示画面において、カーソルが位置するチャンネルに現在ダイレクトキーが設定されているかどうかを判別する（ステップＳ３１）。ここでは、カーソルが位置している番組枠に対応するチャンネルに対して現在ダイレクトキーが設定されているかどうかを判別することになる。判別処理は、番組表データ生成部６が生成した電子番組表に基づき制御部１０によって行われる。
【００８１】
カーソルが位置するチャンネルにダイレクトキーが設定されていない場合、さらにカーソルが位置する番組は、現在放送されているものかどうかを判別する（ステップＳ３２）。ここではカーソルが位置している番組枠に表示されている番組が現在放送されている番組であるかどうかを判別することになる。
そしてカーソルが位置する番組が現在放送されていれば、さらにそのカーソルが位置するチャンネルが、放送種別ごとにダイレクトキーが割り当てられたチャンネルかどうかを判別する（ステップＳ３３）。ここでは制御部１０は、メモリ部１１に記憶した割り当てデータに従って、カーソルが位置するチャンネルに対するダイレクトキーの割り当てがあるかどうかを判別する。
【００８２】
ここでカーソルが位置するチャンネルに対するダイレクトキーの割り当てがあれば、ダイレクトキーの設定変更を行う（ステップＳ３４）。つまり、カーソルが位置するチャンネルに対してダイレクトキーの設定を変更する。
そして表示部８に表示させる電子番組表のダイレクトキーの表示も変更する。つまり電子番組表のチャンネルに対して、設定が変更されたダイレクトキーを表示する（ステップＳ３５）。
【００８３】
一方ステップＳ３１で、カーソルが位置するチャンネルに現在ダイレクトキーが設定されていない場合、ステップＳ３２でカーソルが位置する番組が現在放送されていない場合、及びステップＳ３３でカーソルが位置するチャンネルにダイレクトキーが割り当てられていない場合には、そのままの状態を維持して処理を終了する。
【００８４】
本発明の情報処理装置で動作するプログラムは、本発明に係るデジタル放送受信装置の機能を実現するようにＣＰＵ等を制御するプログラム（コンピュータを機能させるプログラム）である。このプログラムは、装置をユーザが使用する際に容易となるように、表示装置用のグラフィカルユーザインタフェース（ＧＵＩ）を備えるようにするとよい。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【００８５】
プログラムを格納する記録媒体としては、半導体媒体（例えば、ＲＯＭ、不揮発性メモリカード等）、光記録媒体（例えば、ＤＶＤ，ＭＯ、ＭＤ、ＣＤ、ＢＤ等）、磁気記録媒体（例えば、磁気テープ、フレキシブルディスク等）等のいずれであってもよい。
また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【図面の簡単な説明】
【００８６】
【図１】本発明による番組表表示装置を備えたデジタル放送受信装置の一実施形態を示すブロック図である。
【図２】本発明のデジタル放送受信装置に付属するリモコンの入力部の構成例を示す図である。
【図３】本発明によるデジタル放送受信装置により表示される電子番組表の表示画面の一例を示す図である。
【図４】本発明によるデジタル放送受信装置により表示される電子番組表の表示画面の他の例を示す図である。
【図５】電子番組表の表示画面をスクロールさせたときの表示画面の一例を示す図である。
【図６】電子番組表の表示画面を更にスクロールさせたときの表示画面の一例を示す図である。
【図７】本発明によるデジタル放送受信装置により表示される電子番組表の表示画面の他の例を示す図である。
【図８】図７の電子表番組画面においてカーソルを移動させたときの表示の一例を示す図である
【図９】図８の電子番組表画面においてさらにカーソルを移動させたときの表示の一例を示す図である。
【図１０】本発明によるデジタル放送受信装置により表示される電子番組表の表示画面の更に他の例を示す図である。
【図１１】図１０の表示画面でカーソルを移動させたときの表示画面例を示す図である。
【図１２】図１０の表示画面でさらにカーソルを移動させたときの表示画面例を示す図である。
【図１３】本発明によるデジタル放送受信装置により表示される電子番組表の表示画面の更に他の例を示す図である。
【図１４】複数の放送種別に対してダイレクトキーを割り当てた割り当てデータの他の例を説明するための図である。
【図１５】本発明によるデジタル放送受信装置により表示される電子番組表の表示画面の更に他の例を示す図である。
【図１６】本発明のデジタル放送受信装置におけるダイレクトキーの設定・表示処理の一例を説明するためのフローチャートである。
【図１７】本発明のデジタル放送受信装置におけるダイレクトキーの設定・表示処理の他の例を説明するためのフローチャートである。
【図１８】本発明のデジタル放送受信装置におけるダイレクトキーの設定・表示処理の更に他の例を説明するためのフローチャートである。
【図１９】本発明のデジタル放送受信装置におけるダイレクトキーの設定・表示処理の更に他の例を説明するためのフローチャートである。
【図２０】従来の電子番組表の表示例を示す図である。
【図２１】複数の放送種別を１つにまとめた電子番組表の表示例を示す図である。
【図２２】複数の放送種別のチャンネルごとに予め特定のダイレクトキーを割り当てたデータの一例を示す図である。
【符号の説明】
【００８７】
１…フロントエンド、２…デマルチプレクサ、３…映像・音声デコード部、４…音声出力部、５…番組情報デコード部、６…番組表データ生成部、７…画面合成部、８…表示部、９…リモコン受光部、１０…制御部、１１…メモリ部、２０…リモコン、２１…電源ボタン、２２…ダイレクトキー、２３…音量ボタン、２４…放送切換ボタン、２４ａ…地上波ボタン、２４ｂ…ＢＳボタン、２４ｃ…ＣＳボタン、２４ｄ…データ連動ボタン、２４ｅ…データボタン、２４ｆ…ラジオボタン、２４ｇ…テレビボタン、２５…番組表ボタン、２６…カーソルボタン、２６ａ…カーソル上ボタン、２６ｂ…カーソル下ボタン、２６ｃ…カーソル右ボタン、２６ｄ…カーソル左ボタン、２６ｅ…決定ボタン、１００…電子番組表画面、１０３…ダイレクトキー番号表示部、１０４…番組枠表示部、１０５…カーソル。
【図１】
0004915950.tif 000002
【図２】
0004915950.tif 000003
【図３】
0004915950.tif 000004
【図４】
0004915950.tif 000005
【図５】
0004915950.tif 000006
【図６】
0004915950.tif 000007
【図７】
0004915950.tif 000008
【図８】
0004915950.tif 000009
【図９】
0004915950.tif 000010
【図１０】
0004915950.tif 000011
【図１１】
0004915950.tif 000012
【図１２】
0004915950.tif 000013
【図１３】
0004915950.tif 000014
【図１４】
0004915950.tif 000015
【図１５】
0004915950.tif 000016
【図１６】
0004915950.tif 000017
【図１７】
0004915950.tif 000018
【図１８】
0004915950.tif 000019
【図１９】
0004915950.tif 000020
【図２０】
0004915950.tif 000021
【図２１】
0004915950.tif 000022
【図２２】
0004915950.tif 000023